(57)【要約】【課題】レジ係が顧客から受け取った紙幣を精算処理が済むまで一時的に紙幣保留器体に配置すると、紙幣検出センサーは紙幣の存在を検出し、制御部は紙幣の存在検出により照明部を照明作動させ、この照明部の照明作動により紙幣は照明され、すかしの存在を視認することができ、良好な紙幣判別を行うことができる。【解決手段】レジ係が顧客から受け取った紙幣Ｓを精算処理が済むまで一時的に預かる為の紙幣保留器体１を備えてなり、紙幣保留器体に紙幣のすかしＨの存在を視認するための照明部４を設けると共に紙幣保留器体に紙幣が配置されたことを検出する紙幣検出センサ７を設け、紙幣検出センサによる紙幣の存在検出により照明部を照明作動させる制御部８を設けてなる。【選択図】図１
0003111062.tif 000002
【実用新案登録請求の範囲】
【請求項１】
レジ係が顧客から受け取った紙幣を精算処理が済むまで一時的に預かる為の紙幣保留器体を備えてなり、上記紙幣保留器体に紙幣のすかしの存在を視認するための照明部を設けると共に該紙幣保留器体に該紙幣が配置されたことを検出する紙幣検出センサを設け、該紙幣検出センサによる該紙幣の存在検出により該照明部を照明作動させる制御部を設けてなることを特徴とする紙幣保留器。
【請求項２】
上記紙幣保留器体に上記紙幣の表裏面の一方の面に接触可能な照明面を設けると共に該他方の面を保持可能な透明性材からなる保持片を設けてなることを特徴とする請求項１記載の紙幣保留器。
【請求項３】
上記請求項１又は２記載の紙幣保留器を備えてなることを特徴とするキャッシュレジスター。
【考案の詳細な説明】
【技術分野】
【０００１】
本考案は例えば店舗やスーパー百貨店等の精算カウンターに配設される紙幣保留器及びキャッシュレジスターに関するものである。
【背景技術】
【０００２】
従来この種の紙幣保留器として、レジ係が顧客から受け取った紙幣を精算処理が済むまで一時的に預かる為の紙幣保留器体に紙幣のすかしの存在を視認するための照明部を設けてなる構造のものが知られている。このすかし技術は潜像模様、マイクロ文字、特殊発光インキと並び紙幣偽造防止技術の一種である。
【０００３】
しかして、レジ係は顧客から受け取った紙幣を精算処理が済むまで一時的に預かる為の紙幣保留器体に紙幣のすかしの存在を視認するための照明部を設けてなる構造のものが知られている。
【特許文献１】特開２００２−３０４６７０
【考案の開示】
【考案が解決しようとする課題】
【０００４】
しかしながらこの従来構造の場合、上記照明部は電源スイッチのＯＮ操作によりＯＦＦ操作をしない限り常時照明する構造となっており、このため、顧客に恰も偽造紙幣を使用しているのではないかという嫌疑が掛けられているような嫌悪感を与えることがあるという不都合を有している。
【課題を解決するための手段】
【０００５】
本考案はこれらの不都合を解決することを目的とするもので、本考案のうちで、請求項１記載の方法の考案は、レジ係が顧客から受け取った紙幣を精算処理が済むまで一時的に預かる為の紙幣保留器体を備えてなり、上記紙幣保留器体に紙幣のすかしの存在を視認するための照明部を設けると共に該紙幣保留器体に該紙幣が配置されたことを検出する紙幣検出センサを設け、該紙幣検出センサによる該紙幣の存在検出により該照明部を照明作動させる制御部を設けてなることを特徴とする紙幣保留器にある。
【０００６】
又、請求項２記載の方法の考案は、上記紙幣保留器体に上記紙幣の表裏面の一方の面に接触可能な照明面を設けると共に該他方の面を保持可能な透明性材からなる保持片を設けてなることを特徴とするものである。
【０００７】
又、請求項３記載の方法の考案は、上記請求項１又は２記載の紙幣保留器を備えてなることを特徴とするキャッシュレジスターにある。
【考案の効果】
【０００８】
本考案は上述の如く、請求項１又は３記載の考案にあっては、レジ係が顧客から受け取った紙幣を精算処理が済むまで一時的に紙幣保留器体に配置すると、紙幣検出センサーは紙幣の存在を検出し、制御部は紙幣の存在検出により照明部を照明作動させ、この照明部の照明作動により紙幣は照明され、すかしの存在を視認することができ、そして、この紙幣を紙幣保留器からレジ係が取り去ると照明部は非作動状態となり、従って、上記照明部は紙幣検出センサーが紙幣の存在を検出したとき照明作動すると共に紙幣の不存在により非作動となることになるから、すかし判別の為の照明時間の短縮により顧客に対する嫌悪感を抑制することができ、良好な紙幣判別を行うことができる。
【０００９】
又、請求項２記載の考案にあっては、上記紙幣保留器体に上記紙幣の表裏面の一方の面に接触可能な照明面を設けると共に紙幣の他方の面を保持可能な透明性材からなる保持片を設けてなるから、紙幣のすかしの有無確認並びに紙幣の配置取り去りを容易に行うことができる。
【考案を実施するための最良の形態】
【００１０】
図１乃至図５は本考案の実施の形態例を示し、１は紙幣保留器体であって、キャッシュレジスターＲの操作盤に取り付けられたり、キャッシュレジスターＲに内蔵されたり、又は、キャッシュレジスターＲの近傍位置に設置される。
【００１１】
この場合、上記紙幣保留器体１は、四角箱体２内に複数個の蛍光灯３からなる照明部４が設けられ、蛍光灯３は棒状であって広範な均一照明を可能とするため折曲状のものが用いられ、前面に照明部４からの照明光が透過可能であり、これにより紙幣ＳののすかしＨの有無確認が可能であって、紙幣Ｓの表裏面の一方の面に接触可能な合成樹脂製板からなる照明面５が形成され、かつ、前面に紙幣Ｓの他方の面を保持可能な透明性材からなる保持片６が形成され、照明面５と保持片６との中間にレジ係が顧客から受け取った紙幣Ｓを精算処理が済むまで一時的に紙幣Ｓを縦に配置可能に構成している。
【００１２】
７は紙幣検出センサーであって、光学的、磁気的、機械的な各種のセンサーが用いられ、上記照明面５の中央下部に設置され、紙幣保留器体１に紙幣Ｓが配置されたことを検出するように構成している。
【００１３】
８は制御部であって、交流又は直流の電源部９、電源スイッチ１０、照明部４の蛍光灯及び紙幣検出センサー７が直列接続され、電源スイッチ１０のＯＮ操作時において、紙幣Ｓの非検出時は照明部４の蛍光灯３は常時消灯し、紙幣検出センサー７の紙幣Ｓの検出により照明部４の蛍光灯３が点灯して照明作動するように構成されている。
【００１４】
この実施の形態例は上記構成であるから、図３から図１の如く、レジ係が顧客から受け取った紙幣Ｓを精算処理が済むまで一時的に紙幣保留器体１に縦に配置すると、紙幣検出センサー７は紙幣Ｓの存在を検出し、制御部８は紙幣Ｈの存在検出により照明部４を照明作動させ、この照明部４の照明作動により紙幣Ｓは照明され、すかしＨの存在を視認することができ、そして、この紙幣Ｈを紙幣保留器１からレジ係が取り去ると照明部４は非作動状態となり、従って、上記照明部４は紙幣検出センサー７が紙幣Ｓの存在を検出したとき照明作動すると共に紙幣Ｈの不存在により非作動となることになるから、すかしＨ判別の為の照明時間の短縮により顧客に対する嫌悪感を抑制することができ、良好な紙幣判別を行うことができる。
【００１５】
この場合、上記紙幣保留器体１に上記紙幣Ｈの表裏面の一方の面に接触可能な照明面５を設けると共に紙幣Ｈの他方の面を保持可能な透明性材からなる保持片６を設けてなるから、紙幣ＨのすかしＳの有無確認並びに紙幣Ｈの配置取り去りを容易に行うことができる。
【００１６】
尚、本考案は上記実施の形態例に限られるものではなく、紙幣保留器体１、紙幣検出センサ７等の構造や形態等は適宜変更して設計される。
【００１７】
以上、所期の目的を充分達成することができる。
【図面の簡単な説明】
【００１８】
【図１】本考案の実施の形態例の全体斜視図である。
【図２】本考案の実施の形態例の側面図である。
【図３】本考案の実施の形態例の使用状態の正面図である。
【図４】本考案の実施の形態例の制御部の系統図である。
【図５】本考案の実施の形態例の斜視図である。
【符号の説明】
【００１９】
Ｒ    キャッシュレジスター
Ｓ    紙幣
Ｈ    すかし
１    紙幣保留器体
４    照明部
５    照明面
６    保持片
７    紙幣検出センサ
８    制御部
【図１】
0003111062.tif 000003
【図２】
0003111062.tif 000004
【図３】
0003111062.tif 000005
【図４】
0003111062.tif 000006
【図５】
0003111062.tif 000007
【手続補正書】
【提出日】平成17年4月11日(2005.4.11)
【手続補正１】
【補正対象書類名】明細書
【補正対象項目名】０００５
【補正方法】変更
【補正の内容】
【０００５】
本考案はこれらの不都合を解決することを目的とするもので、本考案のうちで、請求項１記載の考案は、レジ係が顧客から受け取った紙幣を精算処理が済むまで一時的に預かる為の紙幣保留器体を備えてなり、上記紙幣保留器体に紙幣のすかしの存在を視認するための照明部を設けると共に該紙幣保留器体に該紙幣が配置されたことを検出する紙幣検出センサを設け、該紙幣検出センサによる該紙幣の存在検出により該照明部を照明作動させる制御部を設けてなることを特徴とする紙幣保留器にある。
【手続補正２】
【補正対象書類名】明細書
【補正対象項目名】０００６
【補正方法】変更
【補正の内容】
【０００６】
又、請求項２記載の考案は、上記紙幣保留器体に上記紙幣の表裏面の一方の面に接触可能な照明面を設けると共に該他方の面を保持可能な透明性材からなる保持片を設けてなることを特徴とするものである。
【手続補正３】
【補正対象書類名】明細書
【補正対象項目名】０００７
【補正方法】変更
【補正の内容】
【０００７】
又、請求項３記載の考案は、上記請求項１又は２記載の紙幣保留器を備えてなることを特徴とするキャッシュレジスターにある。